(57)【要約】【課題】  個々の消費単位でも資源の消費量を管理することが可能となるシステム等を提供する。【解決手段】  このシステムは、資源を消費する複数の消費単位の集合体における該資源の消費量を管理する資源管理システムであり、複数の消費単位の各々につき該資源の消費量を測定する複数の測定部１１〜１３と、測定された複数の消費単位の資源の消費量を履歴情報として記憶する情報記憶部３０と、記憶された履歴情報に基づき、資源の目標消費量を算出することにより消費目標を決定する目標決定部３１と、決定された消費目標を、該消費目標の取得を要求する１以上の消費単位へ送信することにより該１以上の消費単位に対して提供する情報提供部３２とを含む。【選択図】  図３
2017062549.tif 000002
【特許請求の範囲】
【請求項１】
資源を消費する複数の消費単位の集合体における該資源の消費量を管理する資源管理システムであって、
前記複数の消費単位の各々につき、前記資源の消費量を測定する複数の測定部と、
前記複数の測定部により測定された前記複数の消費単位の前記資源の消費量を履歴情報として記憶する情報記憶部と、
前記情報記憶部に記憶された前記履歴情報に基づき、前記資源の目標消費量を算出することにより消費目標を決定する目標決定部と、
前記目標決定部により決定された前記消費目標を、該消費目標の取得を要求する１以上の前記消費単位へ送信することにより該１以上の消費単位に対して提供する情報提供部とを含む、資源管理システム。
【請求項２】
前記情報提供部から提供された前記消費目標を前記１以上の消費単位において表示する１以上の表示部をさらに含む、請求項１に記載の資源管理システム。
【請求項３】
前記複数の消費単位の各々の前記資源の消費に関連する属性情報を記憶する属性記憶部をさらに含み、
前記目標決定部は、前記情報記憶部に記憶された前記履歴情報と、前記属性記憶部に記憶された前記属性情報とに基づき、前記消費目標を決定する、請求項１または２に記載の資源管理システム。
【請求項４】
前記情報提供部は、前記１以上の消費単位の各々に対し、前記消費目標とともに前記情報記憶部に記憶された前記１以上の消費単位の各々に対する前記資源の消費量の情報を提供する、請求項１〜３のいずれか１項に記載の資源管理システム。
【請求項５】
前記資源の消費状況に応じた複数の通知内容を記憶する通知記憶部と、前記目標決定部により決定された前記消費目標と前記履歴情報とに基づき、前記１以上の消費単位の各々につき、前記通知記憶部に記憶された前記複数の通知内容の１つを選択する通知選択部とをさらに含み、
前記情報提供部は、前記通知選択部により選択された前記各通知内容も、前記１以上の消費単位の各々に対して提供する、請求項１〜４のいずれか１項に記載の資源管理システム。
【請求項６】
資源を消費する複数の消費単位の集合体の該各消費単位に対して該資源の消費量に関する情報を提供する情報提供装置であって、
前記複数の消費単位の各々に対して設けられた複数の測定部により測定された該複数の消費単位の前記資源の消費量を履歴情報として記憶する情報記憶部と、
前記情報記憶部に記憶された前記履歴情報に基づき、前記資源の目標消費量を算出することにより消費目標を決定する目標決定部と、
前記目標決定部により決定された前記消費目標を、該消費目標の取得を要求する１以上の前記消費単位へ送信することにより該１以上の消費単位に対して提供する情報提供部とを含む、情報提供装置。
【請求項７】
前記複数の消費単位の各々の前記資源の消費に関連する属性情報を記憶する属性記憶部をさらに含み、
前記目標決定部は、前記情報記憶部に記憶された前記履歴情報と、前記属性記憶部に記憶された前記属性情報とに基づき、前記消費目標を決定する、請求項６に記載の情報提供装置。
【請求項８】
前記情報提供部は、前記１以上の消費単位の各々に対し、前記消費目標とともに前記情報記憶部に記憶された前記１以上の消費単位の各々に対する前記資源の消費量の情報を提供する、請求項６または７に記載の情報提供装置。
【請求項９】
前記資源の消費状況に応じた複数の通知内容を記憶する通知記憶部と、前記目標決定部により決定された前記消費目標と前記履歴情報とに基づき、前記１以上の消費単位の各々につき、前記通知記憶部に記憶された前記複数の通知内容の１つを選択する通知選択部とをさらに含み、
前記情報提供部は、前記通知選択部により選択された前記各通知内容も、前記１以上の消費単位の各々に対して提供する、請求項６〜８のいずれか１項に記載の情報提供装置。
【請求項１０】
資源を消費する複数の消費単位の集合体の該各消費単位に対して該資源の消費量に関する情報を提供する処理をコンピュータに実行させるためのプログラムであって、
前記複数の消費単位の各々に対して設けられた複数の測定部により測定された該複数の消費単位の前記資源の消費量を履歴情報として情報記憶部に記憶するステップと、
前記情報記憶部に記憶された前記履歴情報に基づき、前記資源の目標消費量を算出することにより消費目標を決定するステップと、
決定された前記消費目標を、該消費目標の取得を要求する１以上の前記消費単位へ送信することにより該１以上の消費単位に対して提供するステップとを実行させる、プログラム。
【発明の詳細な説明】
【技術分野】
【０００１】
本発明は、資源を消費する複数の消費単位の集合体における該資源の消費量を管理する資源管理システム、情報提供装置およびその処理をコンピュータに実行させるためのプログラムに関する。
【背景技術】
【０００２】
家庭や事業所等で消費される資源として、電力、ガス、水道等がある。それらの資源の使用量を表示したり、使用量の節約を促したりして、資源を管理する資源管理システムが提供されている。その１つとして、電力を管理するエネルギー管理システム(EMS)が知られている。EMSは、管理対象に応じて、住宅向けはHEMS、商用ビル向けはBEMS、工場向けはFEMS、地域全体向けはCEMS、マンション向けはMEMSという名称で開発されている。
【０００３】
例えば、集合住宅の資源管理システム(MEMS)として、資源の使用量の低減を要請された場合に、住宅情報盤を用いて、設備機器の動作状態の変更を指示するようにしたシステムが提案されている（例えば、特許文献１参照）。ここで、集合住宅とは、マンションやアパート等、１つの建物を構成する住居の集合体、または分譲住宅地等、１つの地域を構成する住居（区分）の集合体を指す。
【発明の概要】
【発明が解決しようとする課題】
【０００４】
しかしながら、上記のシステムでは、集合住宅単位で電力消費量が管理されるため、資源を消費する消費単位としての個々の区分の居住者にとっては必ずしも適切な管理とはならないという問題があった。これは、各区分において管理目標とすべき資源の消費量が分からないため、個々の区分で適切に管理することができないからである。
【０００５】
そこで、個々の消費単位でも資源の消費量を管理することができるシステム等の提供が望まれていた。
【課題を解決するための手段】
【０００６】
本発明は、上記課題に鑑み、資源を消費する複数の消費単位の集合体における該資源の消費量を管理する資源管理システムであって、複数の消費単位の各々につき該資源の消費量を測定する複数の測定部と、複数の測定部により測定された複数の消費単位の資源の消費量を履歴情報として記憶する記憶部と、記憶部に記憶された履歴情報に基づき、資源の目標消費量を算出することにより消費目標を決定する目標決定部と、目標決定部により決定された消費目標を、該消費目標の取得を要求する１以上の消費単位へ送信することにより該１以上の消費単位に対して提供する情報提供部とを含む、資源管理システムが提供される。
【発明の効果】
【０００７】
本発明によれば、個々の消費単位でも資源の消費量を管理することが可能となる。
【図面の簡単な説明】
【０００８】
【図１】資源管理システムの構成例を示した図。
【図２】情報提供装置のハードウェア構成を例示した図。
【図３】情報提供装置の第１の実施形態を示した機能ブロック図。
【図４】情報記憶部に記憶される履歴情報の一例を示した図。
【図５】情報提供装置で行われる全体の処理の流れを示したフローチャート。
【図６】図５に示す処理において日次目標を算出する流れを示したフローチャート。
【図７】消費目標として月次の目標数値と日次の目標数値とを表示したところを示した図。
【図８】情報提供装置の第２の実施形態を示した機能ブロック図。
【図９】属性記憶部に記憶される属性情報の一例を示した図。
【図１０】日付と累積消費電力量との関係を、月次の目標数値とともに示した図。
【図１１】時間と累積消費電力量との関係を、日次の目標数値とともに示した図。
【図１２】情報提供装置の第３の実施形態を示した機能ブロック図。
【図１３】メッセージの内容を示した図。
【発明を実施するための形態】
【０００９】
資源管理システムは、資源を消費する複数の消費単位の集合体における資源の消費量を管理する。資源は、電力、ガス、水道等、広域にわたって一律に提供され、その消費量が計測可能な消費財である。資源を消費する消費単位は、資源を消費する住居（区分）であり、その集合体は、マンションやアパートを構成する住居の集合体、分譲住宅地等の１つの地域を構成する住居の集合体である。以下、資源を電力とし、集合体を集合住宅とし、消費単位を区分として詳細に説明する。
【００１０】
図１は、資源管理システムの構成例を示した図である。資源管理システムは、集合住宅１００における各区分１、２、４に設置される測定部１１〜１３および表示部１４、１５と、LANやインターネット等の通信網１６と、通信網１６に接続される情報提供装置１７とを含んで構成される。
【００１１】
図１に示す例では、区分１には、表示部が設置されておらず、区分３には測定部も、表示部も設置されていないが、これに限られるものではない。したがって、区分１にも、表示部を設置していてもよく、区分３には、測定部、表示部のいずれか、あるいはその両方を設置していてもよい。また、表示部は、区分内に限らず、区分の外部に配置されていてもよいし、表示部１５のように集合住宅１００の外部に配置されていてもよい。表示部は、表示を要求する区分のみが設けることができる。
【００１２】
測定部１１〜１３および表示部１４、１５が無線により通信網１６に接続する場合、通信網１６には、アクセスポイントを設けることができる。これにより、アクセスポイントを介して情報提供装置１７と通信を行うことができる。なお、複数の測定部１１〜１３および表示部１４、１５と、情報提供装置１７とは、通信網１６を介さず、ケーブル等で直接接続されていてもよい。また、通信網１６は、１つの通信網に限らず、ルータやプロキシサーバ等の中継装置で接続された２以上の通信網から構成されていてもよい。
【００１３】
各区分１、２、４に設置された測定部１１〜１３は、各区分１、２、４で消費する電力量を測定し、その測定した電力量を、通信網１６を介して情報提供装置１７へ送信する。各測定部１１〜１３は、例えば時間当たりに消費した電力量を測定する。ここでは、各区分の消費電力量を測定しているが、各区分内の個々の機器毎や部屋毎の消費電力量を測定してもよい。個々の機器は、冷暖房機器であってもよいし、照明機器であってもよいし、その他の機器であってもよい。
【００１４】
測定部１１〜１３は、消費電力量を測定するための消費電力量センサと、測定した消費電力量を情報提供装置１７に送信するコントローラおよびインタフェースとを含んで構成される。消費電力量の測定や送信は、一定の時間間隔、例えば５分間隔で実施することができる。なお、測定部１１〜１３における測定および送信は、集合住宅１００の各区分で並行して独立に実施される。
【００１５】
情報提供装置１７は、各測定部１１〜１３から送信された消費電力量を履歴情報として記憶する。そして、情報提供装置１７は、記憶した履歴情報に基づき、各区分につき管理目標となる消費電力量（目標消費量）を算出することにより各区分に対する電力の消費目標を決定する。この消費目標は、各区分における日々の消費電力量あるいは月々の消費電力量の目標値となるものである。
【００１６】
情報提供装置１７は、各区分２、４に対して決定した消費目標を、通信網１６を介して表示部１４、１５に送信することにより提供する。区分２、４に限定しているのは、区分２、４しかその消費目標を受信して表示することができる表示部を備えていないからである。表示部１４、１５は、その消費目標を受信し、画面に表示することにより各区分２、４の居住者に対して提示する。これにより、各区分２、４の居住者は、自身の消費電力量の目標値を知ることができる。
【００１７】
情報提供装置１７は、例えばサーバ装置とされ、上記の処理を行うために、図２に示すようなハードウェア構成とされる。情報提供装置１７は、一般のPCと同様の構成とされ、CPU２０、ROM２１、RAM２２、HDD２３、通信I/F２４を含む。CPU２０は、情報提供装置１７全体を制御する。ROM２１は、情報提供装置１７を起動させるためのプログラムや情報提供装置１７に接続されたハードウェアを制御するためのプログラムを記憶する。RAM２２は、CPU２０が処理を行う際の作業領域を提供する。HDD２３は、不揮発性メモリで、上記の処理を実現するためのプログラムや各種のデータを記憶する。通信I/F２４は、複数の測定部１１〜１３および表示部１４、１５と通信網１６を介して接続し、それらとの通信を可能にするインタフェースである。
【００１８】
図１に示す表示部１４、１５も、情報提供装置１７と同様のハードウェアを含み、それに加えて、消費目標を表示するための表示画面と、表示画面への表示を制御するためのインタフェースとを含んで構成することができる。表示部１４、１５としては、例えばPC、タブレット端末、スマートフォン等の携帯端末、インターフォン等を挙げることができる。
【００１９】
情報提供装置１７は、その機能を実現するために、図３に示すような機能部を備えることができる。これらの機能部は、HDD２３やHDD２３に記憶されたプログラムをCPU２０が読み出し実行することにより実現することができる。情報提供装置１７は、その機能部として、情報記憶部３０と、目標決定部３１と、情報提供部３２とを含んで構成される。
【００２０】
情報記憶部３０は、各測定部１１〜１３から受信した消費電力量を履歴情報として記憶する。履歴情報は、例えば図４に示すテーブルを用いて記憶することができ、情報提供装置１７上にリレーショナルデータベース等を用いて構成することができる。
【００２１】
図４では、各区分を識別するための識別情報（区分ID）とともに、測定された消費電力量(Wh)と、その測定を開始した日時と、その測定を終了した日時とを関連付けて記憶している。ここでは、区分IDが「００１」のみを例示しているが、その他のIDの履歴情報も含めて記憶することができる。各区分につきテーブルを設け、区分毎に履歴情報を管理することもできる。
【００２２】
情報記憶部３０は、履歴情報として記憶する消費電力量を永続化してもよい。測定部１１〜１３は、例えば所定の消費電力量に達する毎にパルス信号を発生させることができる。これにより、あるパルス信号が発生し、次のパルス信号が発生するまでの消費電力量の累積値から時間当たりの消費電力量を算出することができる。
【００２３】
目標決定部３１は、図５および図６に示すフローチャートに従って、目標消費量を算出し、それを消費目標として決定する。目標決定部３１は、各区分につき、消費目標を決定する。情報提供部３２は、目標決定部３１により決定された各消費目標を各区分に送信することにより該各区分に対して提供する。各区分に設置あるいは配置された表示部は、その消費目標を受信し、表示することにより、居住者に対して提示する。
【００２４】
図５および図６を参照して、目標消費量を決定する処理について詳細に説明する。まず、図５を参照して、その処理の全体の流れについて説明する。目標消費量は、例えば１日に消費する消費電力量の目標数値である日次目標と、１か月に消費する消費電力量の目標数値である月次目標とすることができる。時間的単位は、日、月に限られるものではなく、１日をさらに昼間や夜間に分けた細かい時間的単位であってもよいし、四季等の気候区分や１年といった長い時間的単位であってもよい。以下、目標消費量を、日次目標と月次目標として説明する。
【００２５】
ステップ５００から処理を開始し、ステップ５０５では、月初めかどうかを判断する。すなわち、この処理を行う日が、暦の上で○月１日（○は１〜１２の任意の数）であるかどうかを判断する。月初めである場合、ステップ５１０へ進み、月初めではない場合、ステップ５２０へ進み、この処理を終了する。
【００２６】
ステップ５１０では、日次目標を算出する。日次目標の算出については、図６を参照して詳細に説明する。なお、日次目標は、日次の目標数値として算出される。ステップ５１５では、算出された日次の目標数値を当月の日数で積算して月次の目標数値を算出し、それを月次目標とする。これらの日次目標および月次目標は、情報記憶部３０に記憶され、蓄積される。
【００２７】
日次目標は、情報記憶部３０に記憶された、例えば前月の任意の期間の履歴情報を使用して算出するが、その期間の履歴情報が情報記憶部３０に記憶されていない場合もあり得る。測定部１１〜１３の故障等で消費電力量を測定することができない場合があるからである。このように、情報記憶部３０に前月の任意の期間の履歴情報が存在しない場合、予め定めておいた日次の目標数値を日次目標とし、その日次の目標数値を用いて月次の目標数値を算出することができる。算出した月次の目標数値を月次目標とし、情報記憶部３０に日次目標と月次目標とを記憶したところで、ステップ５２０へ進み、この処理を終了する。
【００２８】
図６を参照して、ステップ５１０における日次目標を算出する処理について詳細に説明する。ステップ６００から処理を開始し、ステップ６０５では、前月末での消費電力量の日次平均を区分毎に算出する。具体的には、前月末７日間での消費電力量の日次平均を算出する。例えば前月が８月であれば、８月２５日から８月３１日までの７日間分の消費電力量を、情報記憶部３０に記憶された履歴情報を用いて算出し、算出した７日間分の消費電力量から日次平均を算出する。
【００２９】
ステップ６１０では、最後の区分まで算出したかを判断する。最後の区分まで算出していない場合、ステップ６０５へ戻り、まだ算出していない次の区分の日次平均を算出する。最後の区分まで算出した場合は、ステップ６１５へ進む。ステップ６１５では、複数の区分につき算出した複数の日次平均から代表値を算出し、その代表値を日次の目標数値とし、ステップ６２０でこの処理を終了する。
【００３０】
代表値は、例えば複数の区分につき算出した複数の日次平均の中央値とすることができる。代表値は、これに限られるものではなく、四分位数、平均値等、統計的に求められる代表値とすることができる。ここで、中央値は、サンプルデータを小さい順に並べたときの中央に位置するデータの値である。四分位数は、サンプルデータを小さい順に並べたときの小さい方から１／４、１／２、３／４に位置するデータの値である。
【００３１】
上記の算出に用いるサンプルデータは、気候等の資源消費に影響を与える状況変化を考慮し、上記の例のように、なるべく直近となる前月末分の消費電力量から算出された日次平均を用いることができる。しかしながら、これは一例であり、前月末分に限定されるものではない。また、上記の例では、統計的な信頼性を高めるために７日間分の消費電力量を用いて算出しているが、これに限られるものではなく、５日間分や２週間分等であってもよい。要するに、区分毎の消費電力量に基づいて目標が決定され、かつその目標が適切な内容であればよい。
【００３２】
月次の目標数値として、四分位数における中央値を第１の消費目標とし、下記第１四分位数を第２の消費目標とする等、段階的に消費目標を設けてもよい。これにより、第２の消費目標を超過してしまった区分に対しては、その後は第１の消費目標として用いることで、目標を失った状態をなるべく作らないようにすることができる。
【００３３】
情報提供部３２は、目標決定部３１が決定した消費目標を送信することにより提供することができるが、消費目標を、通信網１６を介して他から参照可能な状態にし、他からの要求に応じて提供することも可能である。例えば消費目標に対して特定のURL(Uniform Resource Locator)を指定することで、HTTP(Hyper-Text Transfer Protocol)を用いて参照可能な記憶領域にその消費目標をコピーして保持することができる。このため、情報提供部３２は、そのURLへのアクセス要求を受けてその消費目標を提供することができる。
【００３４】
表示部１４、１５は、情報提供部３２から提供されたURLにアクセスすることで、図７に示すような日次目標や月次目標を、管理目標となる目標消費量として表示することができる。図７に示す例では、消費電力量の今月の目標が３００kWhで、今日の目標が１０kWhとして表示されている。図７に示す表示内容は、情報提供部３２が生成したものであってもよいし、表示部１４、１５が情報提供部３２から必要な情報を取得し、その情報を加工する等して生成したものであってもよい。
【００３５】
図８は、情報提供装置１７の第２の実施形態を示した機能ブロック図である。情報提供装置１７は、図３に示す情報提供装置１７と同様の構成とされるが、さらに、機能部として、属性記憶部３３を備えている。情報記憶部３０等については既に説明したので、ここでは、属性記憶部３３についてのみ説明する。属性記憶部３３は、集合住宅の各区分の資源に関連する属性情報を記憶する。属性記憶部３３も、情報記憶部３０と同様、リレーショナルデータベース等を用いて構成され、目標決定部３１が参照することができるように情報提供装置１７上に配置される。属性情報は、例えば図９に示すテーブルとして与えることができる。
【００３６】
図９に示すように、区分を識別するための区分ID毎に、区分の間取りや階種別といった該区分の特徴を表す属性情報を記憶する。間取りは、例えば３LDK、４LDKという情報であり、階種別は、例えば最下階、中間階、最上階という情報である。階種別は、階数を３つに分け、下層階、中層階、上層階という情報としてもよいし、具体的な階数であってもよい。属性記憶部３３は、属性情報に限らず、家族構成、生活タイプ、標準的な在宅時間帯等、資源消費量に影響を与えそうな指標データを記憶することもできる。
【００３７】
家族構成は、家族の人数、続き柄の情報を含む。生活タイプは、区分内で居住者が主に活動する時間帯に応じて分類した朝型、昼型、夜型という情報である。在宅時間帯は、区分の居住者の少なくとも１人が、該区分内にいる時間帯で、例えば夜８時から翌朝８時までという情報である。
【００３８】
目標決定部３１は、消費目標を決定するにあたって、情報記憶部３０に記憶された区分毎の履歴情報と、属性記憶部３３に記憶された区分毎の属性情報とを用いる。目標決定部３１は、上述した日次および月次の目標数値を算出するにあたって、属性毎に、その属性を有する区分の履歴情報のみを用いて、日次の目標数値と月次の目標数値とを算出する。このように、属性が同じ区分の履歴情報のみを使用して消費目標を決定することで、その属性を反映した消費目標を提供することができる。
【００３９】
情報提供部３２は、図８に示した日次目標および月次目標を区分毎に表示部１４、１５に送信して表示させることができるが、送信して表示させる情報としては、これらの情報に限られるものではない。例えば、図１０や図１１に示すような各区分の電力消費量の情報を提供して表示部１４、１５に表示させることもできる。図１０は、時間と累積消費電力量との関係を、日次の目標数値である日次目標とともに示したグラフである。図１１は、日付と累積消費電力量との関係を、月次の目標数値である月次目標とともに示したグラフである。
【００４０】
図１０に示すグラフは、居住者が起床し、活動し始めることにより電力を急激に消費し、居住者が会社に出勤する等して外出することにより電力の消費が減少していることを示している。図１１に示すグラフは、その日の気候等によって電力の消費量が多少増減しているが、ほぼ一定の消費量で増加していることを示している。
【００４１】
表示部１４、１５にこのようなグラフを表示させることにより、現時点で電力を使い過ぎているか否かを確認することができる。また、残りの日数や時間において、どの程度の消費量にすればよいかを予測することができる。このようにして、各区分に対して目標を提示し、各区分の居住者がその目標を達成するために節電を実行することで、集合住宅１００としても、設定した目標の消費電力量に収まるように、電力の消費量を管理することが可能となる。
【００４２】
情報提供装置１７は、日次目標や月次目標を提供する以外、その消費目標に対する通知としてメッセージ（文言）を提供することができる。情報提供装置１７は、そのメッセージを設定するため、図１２に示すように通知選択部３４と通知する内容を記憶する通知記憶部３５とをさらに備えることができる。図１２に示す機能構成は、通知選択部３４および通知記憶部３５以外は、図３に示す機能構成と同様であるため、同様の機能部についてはその説明を省略する。
【００４３】
通知選択部３４は、情報記憶部３０に記憶された区分毎の履歴情報と、目標決定部３１により決定された消費目標とに基づき、区分毎に送信すべきメッセージを通知記憶部３５に記憶されたメッセージから選択する。通知記憶部３５は、通知選択部３４に選択させるための、電力の消費状況に応じた複数のメッセージを記憶する。情報提供部３２は、通知選択部３４が選択したメッセージを各区分の表示部１４、１５に送信して表示させることにより、そのメッセージの内容を提示する。
【００４４】
図１３は、メッセージの一例として、ある区分における累積消費電力量が日次の目標数値を超えた場合に表示部に表示させるメッセージの内容を示した図である。通知記憶部３５は、メッセージと、そのメッセージを選択する基準となる選択条件とを対応付けて記憶する。このため、通知選択部３４は、上記の履歴情報と決定された消費目標とから、どの選択条件を満たしているかを判断し、満たしている選択条件に対応付けられたメッセージを選択することができる。
【００４５】
メッセージの内容は、「もうすぐ目標をオーバーしてしまいます。節約に努めましょう。」、「目標をオーバーしてしまいました。明日（来月）はがんばりましょう。」、「目標をクリアしました。この調子で明日（来月）もがんばりましょう。」等とすることができる。これらの内容は一例であるので、これらに限定されるものではない。
【００４６】
選択条件は、累積資源消費量が目標数値の８０％を超えた場合、累積資源消費量が目標数値を超えた場合、その日（月）の累積資源消費量が目標数値を超えなかった場合等とすることができる。これらの選択条件は、上記のメッセージの内容の順に対応付けて通知記憶部３５に記憶させることができる。
【００４７】
したがって、履歴情報で、消費電力量が目標数値の８０％を超えているが、目標数値は超えていない場合、上記の累積資源消費量が目標数値の８０％を超えた場合という条件を満たしていると判断することができる。このため、この条件に対応付けられた上記の「もうすぐ目標をオーバーしてしまいます。節約に努めましょう。」というメッセージを選択することができる。
【００４８】
履歴情報で、目標数値を超えている場合、上記の累積資源消費量が目標数値を超えた場合という条件を満たしていると判断することができる。このため、この条件に対応付けられた上記の「目標をオーバーしてしまいました。明日（来月）はがんばりましょう。」というメッセージを選択することができる。メッセージを送信する際、あるいは表示する際、そのメッセージが日次に関するものであれば、「明日」という内容とし、月次に関するものであれば、「来月」という内容とすることができる。
【００４９】
履歴情報で、目標数値を超えることなく、その日（その月）を終えたときは、上記のその日（月）の累積資源消費量が目標数値を超えなかった場合という条件を満たしていると判断することができる。このため、この条件に対応付けられた上記の「目標をクリアしました。この調子で明日（来月）もがんばりましょう。」というメッセージを選択することができる。
【００５０】
通知選択部３４がメッセージを選択し、情報提供部３２がそのメッセージを送信して提供するタイミングとしては、月次の目標数値の場合は１日の開始時、すなわち１日の午前０時とすることができる。日次の目標数値の場合は各時間の開始時、すなわち０時０分、１時０分等とすることができる。
【００５１】
以上に説明してきたように、資源管理システムや情報提供装置１７を提供し、集合住宅の区分毎の資源消費量を用いて目標消費量を決定することで、集合住宅が位置する地域特性を反映した、より適切な消費目標を提示することができる。地域特性としては、商業施設への近さ、気象特性、資源料金設定等を挙げることができる。これらはいずれも、資源消費量に影響を与えるからである。また、各区分の資源消費量を全区分につき履歴情報として記憶し、その履歴情報を用いて目標消費量を決定することができるので、集合住宅内の一般傾向に基づく、より適切な消費目標を設定することができる。さらに、集合住宅の区分毎の最近の履歴情報を用いることで、異常気象にも対応可能な、より適切な消費目標を設定することができる。
【００５２】
また、集合住宅の区分の属性情報を用いることで、その属性を反映した、より適切な消費目標を設定することができる。また、資源の累積消費量を提示することで、区分の居住者が、その時点の区分の資源消費量と目標消費量との比較結果を参照し、自らがより適切な資源消費量の制御を行うことができる。また、推奨する今後の対応内容等をメッセージとして提示することで、さらに適切な資源消費量の制御を行うことができる。
【００５３】
資源の消費量の目標を決定し、その目標を提供するために、この資源管理システムは、資源の消費量を測定する複数の測定部を備えている。資源の消費量以外の情報を蓄積し、蓄積した情報から目標を決定し、その目標を提供するサービス装置を開発する際、測定部以外の構成は同様の構成を採用することができるため、その開発コストを削減することも可能となる。
【００５４】
これまで本発明を、資源管理システムおよび情報提供装置として上述した実施の形態をもって説明してきた。しかしながら、本発明は上述した実施の形態に限定されるものではなく、他の実施の形態、追加、変更、削除など、当業者が想到することができる範囲内で変更することができるものである。また、いずれの態様においても本発明の作用・効果を奏する限り、本発明の範囲に含まれるものである。
【００５５】
したがって、資源管理システムが行う方法、情報提供装置が行う方法、それらの方法をコンピュータに実行させるためのプログラムも提供することができる。また、それらプログラムが記録された記録媒体も提供することができるものである。
【符号の説明】
【００５６】
１〜４…区画、１１〜１３…測定部、１４、１５…表示部、１６…通信網、１７…情報提供装置、２０…CPU、２１…ROM、２２…RAM、２３…HDD、２４…通信I/F、３０…情報記憶部、３１…目標決定部、３２…情報提供部、３３…属性記憶部、３４…通知選択部、３５…通知記憶部、１００…集合住宅
【先行技術文献】
【特許文献】
【００５７】
【特許文献１】特開２０１４−１５０４５５号公報
【図１】
2017062549.tif 000003
【図２】
2017062549.tif 000004
【図３】
2017062549.tif 000005
【図４】
2017062549.tif 000006
【図５】
2017062549.tif 000007
【図６】
2017062549.tif 000008
【図７】
2017062549.tif 000009
【図８】
2017062549.tif 000010
【図９】
2017062549.tif 000011
【図１０】
2017062549.tif 000012
【図１１】
2017062549.tif 000013
【図１２】
2017062549.tif 000014
【図１３】
2017062549.tif 000015